(57)【要約】      （修正有）【課題】  回転式電極ソケット、挟持式電極ソケットの安全で安定した操作性を確保し、一体型で作動切換レバーの切換のみで両者に対応することができる蛍光灯の交換器具を提供する。【解決手段】  直管蛍光灯の回動操作時には挟持内を回転可能な前挟持部と後挟持部を有する支持腕と、挟持式電極ソケットからの直管蛍光灯着脱に対応する作動体で、Ｌ形押動軸により挟持式電極ソケットから直管蛍光灯の電極ピンを出し入れする押動部と、回転式電極ソケットの直管蛍光灯着脱に対応する作動体で、直管蛍光灯を把持し回動させる門形の回転案内軸を有する把持部と、挟持式、又は回転式電極ソケットの要求作動に応じて押動部、又は把持部を作動させる切換部とで構成されており、両作動体は支持腕中央下部に設けられた柄軸部の柄軸回動操作、又は柄軸部下部に設けられた操作レバーによる操作を可能とする蛍光灯の交換器具である。【選択図】図１
2008034332.tif 000002
【特許請求の範囲】
【請求項１】
直管蛍光灯器具の回転式電極ソケット及び挟持式電極ソケットに装着された直管蛍光灯の双方の着脱に対応した一体型の交換器具であって交換器具本体部と柄軸部とで形成され、係る交換器具本体部は安定した位置決め、方向性と操作性の確保をし、直管蛍光灯の回動操作時には挟持内を回転可能な前挟持部と後挟持部を有する支持腕と、挟持式電極ソケットからの直管蛍光灯着脱に対応する作動体で、Ｌ形押動軸により挟持式電極ソケットから直管蛍光灯の電極ピンを出し入れする押動部と、回転式電極ソケットの直管蛍光灯着脱に対応する作動体で、直管蛍光灯を把持し回動させる門形の回転案内軸を有する把持部と、挟持式、又は回転式電極ソケットの要求作動に応じて押動部、又は把持部を作動させる切換部とで構成されており、両作動体は支持腕中央下部に設けられた柄軸部の柄軸回動操作、又は柄軸部下部に設けられた操作レバーによる操作を可能とする蛍光灯の交換器具。
【請求項２】
直管蛍光灯器具の回転式電極ソケット及び挟持式電極ソケットに装着された直管蛍光灯の双方の着脱に対応した一体型の交換器具であって、本交換器具の交換器具本体部から、回転式電極ソケットに装着された直管蛍光灯の着脱専用に機能分離活用された蛍光灯の交換器具で、安定した位置決め、方向性と操作性の確保をし、直管蛍光灯の回動操作時には挟持内を回転可能な前挟持部と後挟持部を有する支持腕と、回転式電極ソケットの直管蛍光灯着脱に対応する作動体で、直管蛍光灯を柄軸部下部に設けられた脱落防止作用を併有する安全ロックレバー操作で把持し、把持部回動ワイヤーの牽引により回動させる門形の回転案内軸を有する把持部とで構成され、支持腕中央下部に設けられた柄軸部の柄軸回動操作、又は柄軸部下部に設けられた操作レバーによる操作を可能とする蛍光灯の交換器具。
【発明の詳細な説明】
【技術分野】
【０００１】  この発明は、高所に設置された回転式電極ソケット及び挟持式電極ソケットを用いた照明用直管蛍光灯器具の蛍光灯の交換器具に関するものである。
【背景技術】
【０００２】  従来、高所に設置された回転式電極ソケット及び挟持式電極ソケットを用いた直管蛍光灯器具の直管蛍光灯を交換する場合、椅子や脚立を使用し交換されている。
前記、直管蛍光灯器具の蛍光灯の交換器具として、色々と発明、考案されている。回転式電極ソケット対応としては柄軸の上部に設けられた、直管蛍光灯の周面に摩擦係り止めする桶状のシリンダーを、直管蛍光灯の回転中心に回動自在に保持するホルダを有する把持部を、柄軸下部手元部分に設けられた操作部にて回動操作し直管蛍光灯の着脱をする方法（例えば、特許文献１参照。）、又、挟持式電極ソケット対応としては、直管蛍光灯を２箇所の挟持部で挟持し、電極ソケット上部に押し当てられた押動部材を柄軸の回動或は柄軸下部手元部分に設けられた操作部を操作して押し出し、その反作用にて直管蛍光灯の着脱を図る方法（例えば、特許文献２参照。）等がある。
【特許文献１】特開平１１−３０７０４３号公報
【特許文献２】登録実用新案第３１２０９９３号公報
【発明の開示】
【発明が解決しようとする課題】
【０００３】  しかし、回転式電極ソケット、挟持式電極ソケット対応にとそれぞれ別々に発明、考案されてはいるが一体型で両者に対応する蛍光灯の交換器具はなかった。そこで、着脱時において直管蛍光灯器具の設置位置、及び作業状況に合わせ長さ調節可能で、保管時においてはコンパクトに分解収納保管できる柄軸を有し、回転式電極ソケット及び挟持式電極ソケットの各直管蛍光灯器具に装着された直管蛍光灯の着脱作業に際し、安全で安定した操作性を確保し、一体型で作動切換レバーの切換のみで両者に対応することができる蛍光灯の交換器具を提供することと、さらに、回転式電極ソケットに装着された直管蛍光灯着脱のみの要求者に対し、本交換器具の交換器具本体部から回転式電極ソケットに装着された直管蛍光灯の着脱専用に機能分離活用された回転式電極ソケット専用の蛍光灯の交換器具を提供することを課題とする。
【課題を解決するための手段】
【０００４】  以上の課題を解決するために、第一発明は、直管蛍光灯器具の回転式電極ソケット及び挟持式電極ソケットに装着された直管蛍光灯の双方の着脱に対応した一体型の交換器具であって交換器具本体部と柄軸部とで形成され、係る交換器具本体部は安定した位置決め、方向性と操作性の確保をし、直管蛍光灯の回動操作時には挟持内を回転可能な前挟持部と後挟持部を有する支持腕と、挟持式電極ソケットからの直管蛍光灯着脱に対応する作動体で、Ｌ形押動軸により挟持式電極ソケットから直管蛍光灯の電極ピンを出し入れする押動部と、回転式電極ソケットの直管蛍光灯着脱に対応する作動体で、直管蛍光灯を把持し回動させる門形の回転案内軸を有する把持部と、挟持式、又は回転式電極ソケットの要求作動に応じて押動部、又は把持部を作動させる切換部とで構成されており、両作動体は支持腕中央下部に設けられた柄軸部の柄軸回動操作、又は柄軸部下部に設けられた操作レバーによる操作を可能とすることを特徴とする蛍光灯の交換器具である。【０００５】  第二発明は、直管蛍光灯器具の回転式電極ソケット及び挟持式電極ソケットに装着された直管蛍光灯の双方の着脱に対応した一体型の交換器具であって、本交換器具の交換器具本体部から回転式電極ソケットに装着された直管蛍光灯の着脱専用に機能分離活用された蛍光灯の交換器具で、安定した位置決め、方向性と操作性の確保をし、直管蛍光灯の回動操作時には挟持内を回転可能な前挟持部と後挟持部を有する支持腕と、回転式電極ソケットの直管蛍光灯着脱に対応する作動体で、直管蛍光灯を柄軸部下部に設けられた脱落防止作用を併有する安全ロックレバー操作で把持し、把持部回動ワイヤーの牽引により回動させる門形の回転案内軸を有する把持部とで構成され、支持腕中央下部に設けられた柄軸部の柄軸回動操作、又は柄軸部下部に設けられた操作レバーによる操作を可能とすることを特徴とする蛍光灯の交換器具である。
【発明の効果】
【０００６】  第一発明、第二発明によれば、直管蛍光灯器具の回転式電極ソケット及び挟持式電極ソケットに装着された直管蛍光灯の双方の着脱に対応した一体型の交換器具であって、直管蛍光灯器具の設置位置、及び作業状況に合わせ長さ調節可能で、保管時においてはコンパクトに分解収納保管もできる柄軸を有し、回転式電極ソケット及び挟持式電極ソケットの各直管蛍光灯器具に装着された直管蛍光灯の着脱作業に際し、安定した位置決め、方向性と操作性の確保をし、一体型で作動切換レバーの切換のみで両者に対応することができ作業効率の改善ができる。さらに、回転式電極ソケットに装着された直管蛍光灯着脱のみの要求者に対し、回転式電極ソケット及び挟持式電極ソケットに対応した本交換器具の交換器具本体部から回転式電極ソケットに装着された直管蛍光灯の着脱専用の把持部を機能分離活用することで回転式電極ソケット専用の蛍光灯の交換器具を提供することができコスト負担の削減を図ることができる。
【発明を実施するための最良の形態】
【０００７】  以下、本発明を実施するための最良の形態を図示例と共に説明する。図１は本発明の蛍光灯の交換器具の正面斜視図であって回転式電極ソケット及び挟持式電極ソケットに装着された直管蛍光灯の双方の着脱に対応した一体型の交換器具であって交換器具本体部１と柄軸部２とで形成されている。係る交換器具本体部１は支持腕３、押動部４、把持部５、切換部６とで構成されており、柄軸部２は直管蛍光灯器具の設置位置、及び作業状況に合わせ柄軸の長さ調節ができ、保管時においては最短に調節収納する柄軸調節ソケッ７と、柄軸部２下部に柄軸回動操作する柄軸握り部１１が設けられ、前把持板５０を作動させる前把持板作動ワイヤー９が係り止めされた脱落防止作用を併有する安全ロックレバー１０が固着され、交換器具本体部１の中央下部に設けられた柄軸着脱ソケット８により取り外され、コンパクトに分解収納保管を可能とする。又、図６に示す如く柄軸部２の柄軸握り部１１上部に操作レバー８１を設け、牽引ワイヤー８０を延長することで操作レバー８１による操作を可能とする。【０００８】  図２は交換器具本体部１を構成する支持腕３の正面斜視図であって、側面から見てＵ字形をした支持腕３は後支持板２３の上部両端は直管蛍光灯Ｃ着脱時において安定した位置決め、方向性と操作性の確保をし、直管蛍光灯Ｃの回動操作時には挟持内を回転可能な薄鋼板の前挟持部２０と後挟持部２１を有し、その中央部には後支持板２３の切欠き部ａ２４と前支持板２２に切欠き部ｂ２５を設け、切欠き部ａ２４の下部左右には回動案内軸固定穴２８が設けられている。切欠き部ｂ２５は切欠き部ａ２４に組みつけられた図４に示す把持部５の回動障害とならぬように把持部回動板５２が通過する面積を切り欠いてある。【０００９】  さらに、切り欠き部ｂ２５を有する前支持板２２の上部左右には図３に示す押動部４の押動部取付穴３３と係り止めされる前側の直管４０Ｗ対応押動部取付溝２６と後側の直管２０Ｗ対応押動部取付溝２７が設けられている。前支持板２２の前方には押動部４の押動部上下可動板４７を取り付ける押動部上下可動孔取付穴４８と下部には図５に示す切換部６を取り付ける切換部取付穴３２が設けられている。さらに、支持腕３の中央下部には柄軸部２との着脱を可能とする柄軸着脱ソケット８と柄軸部２の回動操作により回動する牽引ワイヤー係止３１を有するワイヤー牽引部３０が設けられている。【００１０】  図３は挟持式電極ソケットＢからの直管蛍光灯Ｃ着脱に対応する作動体であって、交換器具本体部１を構成している押動部４の正面斜視図である。押動部４はＬ字形であって先端に直管蛍光灯Ｃの着脱時において、挟持式電極ソケットＢ上部付近に押し当てられる押当部４０を有したＬ形押動軸４１の他端がＬ形押動部駆動軸４２の中に、柄軸部２の回動操作により軸方向に前後移動するように挿入されている。そして、Ｌ形押動部駆動軸４２後部には押動部駆動孔４３が設けられ、Ｌ形押動軸４１に固着されたワイヤー固定ピン４４がその孔より突出しＬ形押動軸引きばね４５が係り止めされ、そのばねの他方は引きばね支持ピン４６に固定されている。さらに、ワイヤー固定ピン４４には、押動部作動ワイヤー４９も係り止めされており他端は図���に示す切換部６の切換部作動体ｂ７２に固着されている。【００１１】  係るＬ形押動部駆動軸４２の後部には押動部取付穴３３が設けられ、支持腕３の前支持板２２の前後に設けられた直管４０Ｗ対応押動部取付溝２６又は、直管２０Ｗ対応押動部取付溝２７の各溝に固定されるようになっている。又、Ｌ形押動部駆動軸４２の前部には、上部を円筒に加工され、その円筒部分に前記軸が挿入され軸方向に前後移動を可能とする押動部上下可動板４７が装着されている。その押動部上下可動板４７には弧状の押動部上下可動孔２９が設けられ、支持腕３の押動部上下可動孔取付穴４８と係り止めされ押動部取付穴３３を支点としてＬ形押動部駆動軸４２を扇状に上下可動をする。【００１２】  図４は回転式電極ソケットＡの直管蛍光灯Ｃ着脱に対応する作動体で、交換器具本体部１を構成している把持部５の斜視図であって、（ａ）は正面斜視図で（ｂ）はその背面斜視図である。把持部５はカスタネット形であって直管蛍光灯Ｃを把持する接触部分に柔軟で、摩擦度、吸着力の高いゴム等が内装された弧状を有する前把持板５０と後把持板５１とが下部の２箇所の前後把持板係止部６２で係り止めされ、前後把持板係止部６２を支点に扇状に開閉するＴ字形の前把持板５０と左右に回動案内軸孔５９を有する後把持板５１は共に回動案内軸孔５９を有する把持部回動板５２に固着され、回動案内軸孔５９には門形をした回動案内軸５３の回動案内軸固定部６１が貫入されている。【００１３】  そして、その回動案内軸固定部６１は支持腕３の後支持板２３に設けられた切欠き部ａ２４の左右の回動案内軸固定穴２８に挿入され固着されている。一方、把持部回動板５２の回動案内軸孔５９に貫入した回動案内軸５３の門形で弧状をした立ち上がり部分両側には案内軸押しばね５４が挟入され、その案内軸押しばね５４は回動案内軸５３の中央に位置する把持部回動ワイヤー案内５７に案内され、把持部回動ワイヤー係止部５６に取り付けられ、他端は図５に示す切換部６の切換部作動体ａ７１に固着され、柄軸部２の回動操作により把持部回動板５２が把持部回動ワイヤー５５によって牽引され、直管蛍光灯Ｃを把持した把持部５が回動案内軸５３を回動した時に押し戻す作動をする。【００１４】  把持部回動板５２の上部中央に位置する把持板押ばね収納部５８は図８に示す如く、前把持板５０を扇状に開作動をする把持板押ばね６３の、蛍光灯の把持状態において圧縮された把持板押ばね６３を収納する。把持板押ばね収納部５８の底部には安全ロックレバー１０に固着された前把持板作動ワイヤー９の他端が前把持板５０の下部、把持板押ばね６３、把持部回動板５２を貫通し、把持板押ばね収納部５８の中を経由し固着されている。【００１５】  図５は、挟持式、又は回転式電極ソケットＢ，Ａの要求作動に応じて押動部４、又は把持部５を作動させる切換部６と、その切換手順を示す斜視図である。（ａ）によって、切換部６は箱形であって切換部取付部７８を有し支持腕３の切換部取付穴３２に組み付けられ、その箱の中に切換レバー７３を有する切換部駆動体７０を中心に切換部作動体ａ７１、切換部作動体ｂ７２が上下に並列され、その切換レバー７３を上下に回動することで係り止めされることのできる把持部駆動溝７４が設けられた切換部作動体ａ７１を上部に、そして、押動部駆動溝７５が設けられた切換部作動体ｂ７２が下部に配置されている。【００１６】  切換部駆動体７０の右端には、支持腕３下部のワイヤー牽引部３０に設けられた牽引ワイヤー係止３１に係り止めされた牽引ワイヤー８０が切換部外箱７７の牽引ワイヤー案内７６を経由して固着されている。そして、切換部作動体ａ７１の左端には把持部回動ワイヤー５５が、切換部作動体ｂ７２の左端には押動部作動ワイヤー４９がそれぞれ切換部外箱７７を貫通し固着されている。図５の（ｂ）は切換部６の切換レバー７３を上部に回動し切換作動体ａ７１の把持部駆動溝７４に係り止めし、（ｃ）は牽引ワイヤー８０が牽引され切換部駆動体７０と共に切換部作動体ａ７１が牽引され把持部回動ワイヤー５５が牽引された状態を示す。【００１７】  図６は、本交換器具における作動体の把持部５を交換器具本体部１から機能分離活用し、前述の柄軸部２の回動操作による方法ではなく、把持部回動ワイヤー５５を柄軸全長相当に延長し操作レバー８１に係り止めして柄軸部２下部に装着した、回転式電極ソケットＡのみに対応した蛍光灯の交換器具の正面斜視図である。取り扱いは、前挟持部２０、後挟持部２１及び把持部３に直管蛍光灯Ｃを挟持させ、安全ロックレバー１０を操作し把持部５の前把持板５０を作動させて直管蛍光灯Ｃを確実に把持し、次に、操作レバー８１を操作して把持部回動ワイヤー５５を牽引することにより把持部５が回動案内軸５３を回動し、直管蛍光灯Ｃの着脱を図ることができる。【００１８】  図７は直管蛍光灯器具の電極ソケットの形状とその直管蛍光灯を手作業によって着脱する作業手順を示す説明図であって、（ａ）は９０度回転式電極ソケットＡ、（ｂ）は４５度回転式電極ソケットＧ、（ｃ）は挟持式電極ソケットＢを示す図である。直管蛍光灯取付け時に於いて（ａ）の場合、直管蛍光灯Ｃの２本の電極ピンＤを垂直にして回転式電極ソケットＡの電極ピンガイドＥに沿って垂直に挿入し、回転中心Ｆに９０度回転させて装着する。（ｂ）の場合、直管蛍光灯の２本の電極ピンＤを斜め４５度にして４５度回転式電極ソケットＧの片方の電極ピンガイドＥに片方の電極ピンＤを挿入し、その挿入された電極ピンＤを回転中心Ｆに４５度回転させて装着する。（ｃ）の場合、図面に記載されていない他方の挟持式電極ソケットＢに２本の電極ピンＤを挿入して押し込み、当方の挟持式電極ソッケットＢと電極ピンＤとの間に隙間を作り、蛍光灯を押し上げて係る電極ピンＤを挟持式電極ソケットＢに挿入する。取り外しの場合は、それぞれ、前述の逆順にて作業される。【００１９】  図８は本交換器具で回転式電極ソケットＡに装着された直管蛍光灯Ｃの取外し時における把持部５、安全ロックレバー１０、切換部６、柄軸部２の各作動と手順を示す簡略説明図であって、（ａ）は把持部５が直管蛍光灯Ｃに押し当てられた状態の図であって、切換部６の切換レバー７３は把持部回動ワイヤー５５側の切換部作動体ａ７１に係り止めされている。（ｂ）は安全ロックレバー１０を操作し、前把持板作動ワイヤー９が牽引され圧縮された把持板押しばね６３が把持板押しばね収納部５８に収納され、前把持板５０と���把持板５１が密着し直管蛍光灯Ｃを確実に把持した時の状態である。（ｃ）は、柄軸部２の回動操作によりワイヤー牽引部３０に設けられた牽引ワイヤー係止３１に係り止めされた牽引ワイヤー８０が牽引され、切換部６の切換部駆動体７０に係り止めされた把持部回動ワイヤー５５を固着した切換部作動体ａ７１が共に牽引され把持部５を回動した図である。【００２０】  図９は本交換器具を使用して、回転式電極ソケットＡに直管蛍光灯Ｃを取り付ける時の手順を示す把持部５の簡略説明図である。（ａ）最初に交換器具本体部１の前後挟持部２０、２１と把持部５とで蛍光灯を挟持し、次に安全ロックレバー１０を操作してその蛍光灯Ｃを把持して水平に押し上げ、両側にある回転式電極ソケットＡの電極ピンガイドＥに挿入する。（ｂ）そして、柄軸部２を回動操作し直管蛍光灯Ｃを把持した把持部５を９０度回動させ、電極ピンガイドＥ内で垂直であった電極ピンＤを水平にして装着する。（ｃ）次に、安全ロックレバー１０を解除し、前把持板５０を開き把持状態を開放し、（ｄ）柄軸部２を戻し回動操作し、把持部５を回動案内軸５３の案内軸押しばね５４により戻し９０度回動させて、柄軸部２を下方へ引き下げ、交換器具本体部１を直管蛍光灯器具Ｈから引き離す。【００２１】  図１０は本交換器具を使用して、挟持式電極ソケットＢから蛍光灯Ｃを取り外す時のＬ形押動軸４１、押動部上下可動孔２９、安全ロックレバー１０、切換部６、柄軸部２の各部作動と手順を示す簡略説明図である。（ａ）最初に、支持腕３の直管２０Ｗ或は直管４０Ｗ対応押動部取付溝２７、２６に固定された押動部取付穴３３を支点にＬ形押動軸４１を扇状に開き、押当部４０を直管蛍光灯器具Ｈの挟持式電極ソケットＢ上部に押し当てて、柄軸部２を垂直に押し上げ前後挟持部２０、２１と把持部５の前後把持板５０，５１とで挟持し、次に安全ロックレバー１０を操作してその直管蛍光灯Ｃを把持する。この時、切換部６の切換レバー７３は押動部作動ワイヤー４９側の切換部作動体ｂ７２に係り止めされている。【００２２】  次に（ｂ）は、柄軸部２の回動操作によりワイヤー牽引部３０に設けられた牽引ワイヤー係止３１に係り止めされた牽引ワイヤー８０が牽引され、切換部６の切換部駆動体７０に係り止めされた押動部作動ワイヤー４９を固着した切換部作動体ｂ７２が共に牽引され押動部４のＬ形押動軸４１を押し出して挟持式電極ソケットＢから電極ピンＤを引き離し、次に（ｃ）、その状態で柄軸部２を下方に少し引き下げ、押動部上下可動孔２９により直管蛍光灯Ｃが斜め下方に向き直管蛍光灯器具Ｈに接触することなく外せる状態になる。そして（ｄ）、柄軸部２の戻し回動操作をしてＬ形押動軸４１を引き戻し、係る柄軸部２を引き下げ直管蛍光灯器具Ｈから直管蛍光灯Ｃを取り外す。そして、取り付け時は前記の逆順となる。
【図面の簡単な説明】
【００２３】
【図１】本交換器具の正面斜視図である。
【図２】本交換器具の交換器具本体部１を構成する支持腕３の正面斜視図である。
【図３】本交換器具の交換器具本体部１を構成する押動部４の正面斜視図である。
【図４】本交換器具の交換器具本体部１を構成する把持部５の（ａ）正面斜視図と（ｂ）背面斜視図である。
【図５】本交換器具の交換器具本体部１を構成する切換部６と、その切換手順を示す正面斜視図である。
【図６】回転式電極ソケットＡ専用の蛍光灯の交換器具の正面斜視図である。
【図７】直管蛍光灯器具Ｈの電極ソケット形状と、その直管蛍光灯Ｃ着脱手順を示す説明図であって、（ａ）は９０度回転式電極ソケットＡ、（ｂ）は４５度回転式電極ソケットＧ、（ｃ）は挟持式電極ソケットＢを示す図である。
【図８】本交換器具で回転式電極ソケットＡにおける直管蛍光灯Ｃの取外し手順を説明する説明図であって、把持部５が（ａ）直管蛍光灯Ｃを挟持した状態、（ｂ）は直管蛍光灯Ｃを把持した状態、（ｃ）は直管蛍光灯Ｃを回動した状態を示す図である。
【図９】本交換器具で回転式電極ソケットＡにおける直管蛍光灯Ｃの取付け手順を説明する図である。
【図１０】本交換器具で挟持式電極ソケットＢにおける直管蛍光灯Ｃの取外し手順を説明する図である。
【符号の説明】
【００２４】１  交換器具本体部                ４９  押動部作動ワイヤー
２  柄軸部                        ５０  前把持板
３  支持腕                        ５１  後把持板
４  押動部                        ５２  把持部回動板
５  把持部                        ５３  回動案内軸
６  切換部                        ５４  案内軸押しばね
７  柄軸調節ソケット              ５５  把持部回動ワイヤー
８  柄軸着脱ソケット              ５６  把持部回動ワイヤー係止部
９  前把持板作動ワイヤー          ５７  把持部回動ワイヤー案内
１０  安全ロックレバー            ５８  把持板押しばね収納部
１１  柄軸握り部                  ５９  回動案内軸孔
１２  柄軸
２０  前挟持部                    ６１  回動案内軸固定部
２１  後挟持部                    ６２  前後把持板係止部
２２  前支持板                    ６３  把持板押しばね
２３  後支持板                    ７０  切換部駆動体
２４  切欠き部ａ                  ７１  切換部作動体ａ
２５  切欠き部ｂ                  ７２  切換部作動体ｂ
２６  直管４０ｗ対応押動部収付溝  ７３  切換レバー
２７  直管２０ｗ対応押動部取付溝  ７４  把持部駆動溝
２８  回動案内軸固定穴            ７５  押動部駆動溝
２９  押動部上下可動孔            ７６  牽引ワイヤー案内
３０  ワイヤー牽引部              ７７  切換部外箱
３１  牽引ワイヤー係止            ７８  切換部取付部
３２  切換部取付穴                ８０  牽引ワイヤー
３３  押動部取付穴                ８１  操作レバー
４０  押当部                        Ａ  回転式電極ソケット
４１  Ｌ形押動軸                    Ｂ  挟持式電極ソケット
４２  Ｌ形押動部駆動軸              Ｃ  直管蛍光灯
４３  押動部駆動孔                  Ｄ  電極ピン
４４  ワイヤー固定ピン              Ｅ  電極ピンガイド
４５  Ｌ形押動軸引きばね            Ｆ  回転中心
４６  引きばね支持ピン              Ｇ  ４５度回転式電極ソケット
４７  押動部上下可動板              Ｈ  直管蛍光灯器具
４８  押動部上下可動孔取付穴
【図１】
2008034332.tif 000003
【図２】
2008034332.tif 000004
【図３】
2008034332.tif 000005
【図４】
2008034332.tif 000006
【図５】
2008034332.tif 000007
【図６】
2008034332.tif 000008
【図７】
2008034332.tif 000009
【図８】
2008034332.tif 000010
【図９】
2008034332.tif 000011
【図１０】
2008034332.tif 000012